(57)【要約】      （修正有）【課題】航空機の胴体部の隔壁連結方法を提供する。【解決手段】隔壁連結アセンブリ３１２は、胴体部の後方セクション及び胴体部の前方セクションに固定されるよう構成されているとともに、胴体部の隔壁３００を超えて延びるストラップ片３１４を含む。隔壁連結アセンブリ３１２は、さらに、ストラップ片３１４に係合し、固定されたコード３１８を含む。コード３１８は、隔壁３００に沿って延びており、隔壁３００から受ける力をコード３１８とストラップ片３１４の間のせん断力として伝達するよう構成されている。【選択図】図３
2020097395.tif 000002
【特許請求の範囲】
【請求項１】
胴体部の後方セクション及び前記胴体部の前方セクションに固定されるよう構成されているとともに、前記胴体部の隔壁を超えて延びるストラップ片と、
前記ストラップ片に係合し、固定されたコードと、を備え、前記コードは、前記隔壁に沿って延びており、前記隔壁から受ける荷重を前記コードと前記ストラップ片の間のせん断力として伝達するよう構成されている、隔壁連結アセンブリ。
【請求項２】
前記ストラップ片に固定されているとともに、前記後方セクションに対して延出し、固定されるよう構成された後方ストリンガ端部フィッティングと、
前記ストラップ片に固定されているとともに、前記前方セクションに対して延出し、固定されるよう構成された前方ストリンガ端部フィッティングと、をさらに備える、請求項１に記載の隔壁連結アセンブリ。
【請求項３】
前記ストラップ片、前記コード、前記後方ストリンガ端部フィッティング、及び、前記前方ストリンガ端部フィッティングは、複合繊維強化プラスチックで構成されている、請求項２に記載の隔壁連結アセンブリ。
【請求項４】
前記ストラップ片は、一定厚部分及びテーパー付き部分を含む、請求項１〜３のいずれかに記載の隔壁連結アセンブリ。
【請求項５】
前記コードは、前記コードの垂直部分において弧状に拡がるマウスホール開口を有する、請求項１〜４のいずれかに記載の隔壁連結アセンブリ。
【請求項６】
前記コードは、前記ストラップ片に係合して延びる水平部分と、前記隔壁に係合して延びる垂直部分と、を含む、請求項１〜５のいずれかに記載の隔壁連結アセンブリ。
【請求項７】
前記コードの前記水平部分と前記コードの前記垂直部分との間には鈍角が形成されている、請求項６に記載の隔壁連結アセンブリ。
【請求項８】
前記ストラップ片に対して当接するＴ字型コード片をさらに備える、請求項１〜７のいずれかに記載の隔壁連結アセンブリ。
【請求項９】
前記ストラップ片に重ねて配置されたＴ字型コード片をさらに備える、請求項１〜７のいずれかに記載の隔壁連結アセンブリ。
【請求項１０】
前記Ｔ字型コード片は、本体部と、前記本体部から延出するフランジと、を含む、請求項８又は９に記載の隔壁連結アセンブリ。
【請求項１１】
前記Ｔ字型コード片の前記フランジは、フランジ中間弧状部を含む、請求項１０に記載の隔壁連結アセンブリ。
【請求項１２】
後方セクションと、
前記後方セクションを、隔壁連結部において嵌合させて保持する前方セクションと、
前記隔壁連結部に隣接する、前記後方セクションの内部、及び、前記前方セクションの内部の周縁全体に拡がる隔壁と、
前記後方セクションを前記前方セクションに固定する隔壁連結アセンブリと、を備える胴体部であって、前記隔壁連結アセンブリが、
前記後方セクションに固定されているとともに、前記前方セクションに対して延出し、固定されたストラップ片であって、前記隔壁と前記隔壁連結部との間に延びるストラップ片と、
前記ストラップ片に係合して延びる水平部分と、前記隔壁に係合して延びる垂直部分と、を有し、前記隔壁とストラップ片との間にせん断力を与えるコードと、を含むものである、胴体部。
【請求項１３】
前記隔壁連結アセンブリが、さらに、
前記ストラップ片に固定されているとともに、前記後方セクションに対して延出し、固定された後方ストリンガ端部フィッティングと、
前記ストラップ片に固定されているとともに、前記前方セクションに固定されるように延出する前方ストリンガ端部フィッティングと、をさらに含む、請求項１２に記載の胴体部。
【請求項１４】
前記ストラップ片、前記コード、前記後方ストリンガ端部フィッティング、及び、前方ストリンガ端部フィッティングは、複合繊維強化プラスチックで構成されている、請求項１３に記載の胴体部。
【請求項１５】
前記隔壁連結アセンブリが、
前記ストラップ片に対して当接するＴ字型コード片をさらに含む、請求項１２〜１４のいずれかに記載の胴体部。
【請求項１６】
前記Ｔ字型コードに隣接する前記隔壁に固定された水平安定板を枢動可能に保持するピボット継手をさらに備える、請求項１５に記載の胴体部。
【請求項１７】
前記コードは、マウスホール開口を含む、請求項１２〜１６のいずれかに記載の胴体部。
【請求項１８】
前記コードは、前記隔壁の一方の側において、前記ストラップ片及び隔壁にファスナで固定されている、請求項１２〜１７のいずれかに記載の胴体部。
【請求項１９】
胴体部の後方セクション及び前記胴体部の前方セクションに固定されるよう構成されているとともに、前記胴体部の隔壁を超えて延びるストラップ片と、
前記ストラップ片に係合し、固定されたコードであって、前記隔壁に沿って延びており、前記隔壁から受ける荷重を前記コードと前記ストラップ片との間のせん断力として伝達するよう構成されているコードと、
前記ストラップ片に固定されているとともに、前記後方セクションに対して延出し、固定された後方ストリンガ端部フィッティングと、
前記ストラップ片に固定されているとともに、前記前方セクションに対して延出し、固定された前方ストリンガ端部フィッティングと、
前記ストラップ片に対して当接するＴ字型コード片と、をさらに備える、隔壁連結アセンブリ。
【請求項２０】
前記ストラップ片は、前記隔壁連結アセンブリが有する複数のストラップ片のうちの１つである、請求項１９に記載の隔壁連結アセンブリ。
【発明の詳細な説明】
【技術分野】
【０００１】
本開示の実施形態は、概して、航空機の胴体部に関し、より具体的には、胴体部の隔壁に関する。
【背景技術】
【０００２】
胴体部は、航空機の本体部分である。胴体部の内部には、航空機の水平安定板を連結し、水平安定板から胴体部の構造部品に荷重を伝達する隔壁が設けられている。
【０００３】
隔壁は、胴体部を損傷することなく胴体部の部材に力を伝達するように細心の注意を払って適切に設置する必要がある。胴体部は、多くのセクションから構成されており、隔壁周辺のセクションは、隔壁に対して前方のセクションと後方のセクションに分けて考えることができる。隔壁はその両方に跨る。隔壁連結アセンブリ（bulkhead joint assembly）は、これらの部材を胴体部に連結、固定して、隔壁から前方セクション及び後方セクションの構成要素への力の伝達を促進する。
【０００４】
隔壁連結アセンブリの例としては、隔壁の両側に互いに対向するように取り付けられた、異なるサイズの隔壁取付け用ブレークリングコード（bulkhead attaching break ring chord）が知られている。一例では、隔壁の両側に設けられたコードに対して位置合わせされ、配置されたバスタブ型フィッティング（bathtub fitting）を、胴体部の前方セクション又は後方セクションに固定して、バスタブ型フィッティングの間に、隔壁の動きに抵抗する引張り接合（tension joint）を形成する。
【０００５】
しかしながら、引張り力を利用した隔壁連結アセンブリは、力の伝達が不十分であるとともに、設置作業に労力を要する。加えて、そのような胴体部隔壁連結アセンブリは、繋ぎ合わせを要する部品を多数含み、このことも、製造を困難で複雑にする要因となっている。また、隔壁に作用する力に対処すべく、多くの部材がアルミニウムなどの金属を含むが、金属は、例えば、腐食するおそれがある。また、そのような金属部品は高価であり、バリ取りなどの追加の製造工程を要し、最終的な取付け段階で行うフィットアップ（fit-up）工程をより高度に連係させる必要が生じる。また、取付け段階において金属部品を加工することは、通常容易ではない。加えて、そのような金属の腐食作用を低減するために耐食性のシーリング材を用いることが多く、コストがさらに増加する。
【発明の概要】
【０００６】
隔壁に作用する力を胴体部の他の部材に効率的に伝達しつつ、胴体部の内側に結合する、胴体部の隔壁連結アセンブリが必要とされている。また、胴体部に対する腐食の影響を極力抑制する必要があるとともに、部材の繋ぎ合わせが極力少なく、製造プロセスの簡素化、コスト低減を可能にする設計の隔壁連結アセンブリが必要とされている。加えて、隔壁構造の設置に関するコストや煩雑さを低減する隔壁連結部（bulkhead joint）が必要とされている。
【０００７】
このような要望を念頭に、本開示の特定の実施形態は、隔壁連結アセンブリを提供するものであり、前記隔壁連結アセンブリは、胴体部の後方セクション及び前記胴体部の前方セクションに固定されるよう構成されているとともに、前記胴体部の隔壁を超えて延びるストラップ片を備える。前記隔壁連結アセンブリは、さらに、前記ストラップ片に係合し、固定されたコードを備える。前記コードは、前記隔壁に沿って延びており、前記隔壁から受ける荷重を前記コードと前記ストラップ片の間のせん断力として伝達するよう構成されている。
【０００８】
少なくとも一実施形態では、胴体部が提供されており、当該胴体部は、後方セクションと、前記後方セクションを、隔壁連結部において嵌合させて保持する前方セクションと、を備える。隔壁は、前記隔壁連結部に隣接する、前記後方セクションの内部、及び、前記前方セクションの内部において周縁全体に拡がっている。隔壁連結アセンブリは、前記後方セクションを前記前方セクションに固定するとともに、ストラップ片を含む。当該ストラップ片は、前記後方セクションに固定されているとともに、前記前方セクションに対して延出し、固定されている。前記ストラップ片は、前記隔壁と前記隔壁連結部との間に延在する。前記隔壁連結アセンブリは、前記ストラップ片に係合し、固定されたコードをさらに含む。前記コードは、前記隔壁に沿って延びており、前記隔壁からの力を前記コードと前記ストラップ片との間のせん断力として伝達する。
【０００９】
少なくとも一実施形態では、隔壁連結アセンブリが提供されており、当該隔壁連結アセンブリは、後方セクション及び前方セクションに固定されるよう構成されているとともに、隔壁を超えて延びるストラップ片を備える。前記隔壁連結アセンブリは、さらに、前記ストラップ片に係合し、固定されたコードであって、前記隔壁に沿って延びており、前記隔壁から受ける力を前記コードと前記ストラップ片との間のせん断力として伝達するよう構成されているコードと、前記ストラップ片に固定されているとともに、前記後方セクションに対して延出し、固定された後方ストリンガ端部と、前記ストラップ片に固定されているとともに、前記前方セクションに対して延出し、固定された前方ストリンガ端部フィッティングと、を備える。前記隔壁連結アセンブリは、さらに、前記ストラップ片に対して当接するＴ字型コード片を備える。
【図面の簡単な説明】
【００１０】
【図１】本開示の実施形態による胴体部の一部を示す側面図である。
【図２】本開示の実施形態による胴体部の一部を示す分解透視図である。
【図３】本開示の実施形態による隔壁連結アセンブリを前方から見た透視図である。
【図４】本開示の実施形態による隔壁連結アセンブリを後方から見た透視図である。
【図５】本開示の実施形態による隔壁連結アセンブリの側断面図である。
【図６】本開示の実施形態による隔壁連結アセンブリの一部を示す側断面図である。
【図７】本開示の実施形態による隔壁連結アセンブリのストラップ片の側面透視図である。
【図８】本開示の実施形態による隔壁連結アセンブリのストリンガ端部フィッティングの側面透視図である。
【図９】本開示の実施形態による隔壁連結アセンブリのコードの側面透視図である。
【図１０】本開示の実施形態による隔壁連結アセンブリのＴ字型コードの側面透視図である。
【発明を実施するための形態】
【００１１】
上述した概要及び後述するいくつかの実施形態の詳細な説明は、添付の図面を参照することによって、より明確に理解されよう。本明細書において、単数形で記載されている要素やステップは、複数の要素やステップを必ずしも排除するものではない。加えて、「一実施形態」に言及することは、その実施形態に記載した特徴を取り入れた別の実施形態の存在を排除することを意図するものではない。また、特に明記されていない限り、特定の特性を有する１つの要素あるいは複数の要素を「備える（comprising）」あるいは「有する（having）」実施形態は、その性質を有さない別の要素を追加的に含んでいてもよい。
【００１２】
本開示の特定の実施形態は、隔壁連結アセンブリを提供するものであり、これは、ストラップ片を含み、ストラップ片は、テーパー状であって、隔壁の下に延在し、隔壁の前方側と後方側の両方においてストリンガ端部フィッティングを係合させることができるように構成されている。隔壁連結アセンブリは、コード部材をさらに含み、このコード部材は、隔壁に固定されて延びているとともに、ストラップ片に固定されて延びている。コードは、概ね隔壁とストラップ片との間に配置されているので、隔壁から受けた力をせん断力としてストラップ片に伝達する。
【００１３】
図１は、航空機の胴体部１００の一部を示す側面図である。図２は、胴体部１００の一部を示す分解透視図である。図１及び図２に示すように、胴体部１００は、後方セクション１０２、隔壁１０４（図２）、隔壁連結部１０６（図１）、ピボット継手（pivot fitting）１０８（図２）、水平安定板１１０、及び、前方セクション１１２を含む。
【００１４】
胴体部の後方セクション１０２は、航空機の後端１１４を含むとともに、外板であるハウジング１１６を有し、このハウジングの内部には、隔壁１０４を収容する内部チャンバ１１８（図２）が構成されている。ハウジング１１６は、胴体部の前方セクション１１２を収容する周縁（periphery）１２０を有する。
【００１５】
隔壁１０４は、ウェブ本体１２２を含み、これは、前方側１２４、後方側１２６、頂部周縁１２８、第１側周縁１３０、第２側周縁１３２、及び、キール（keel）周縁１３４を含む。ウェブ本体１２２は、前方側１２４に複数の水平支持部材１３６及び複数の垂直支持部材１３８を含み、これら支持部材は、一実施例では略矩形である隔壁開口部１４０を取り囲むように配置されている。水平支持部材１３６及び垂直支持部材１３８は相互接続されており、全体として隔壁開口部１４０の周りに格子パターンを形成する。このように、隔壁１０４は、ウェブ本体１２２に固定されたピボット継手１０８を介して水平安定板１１０から力を受け、これを吸収するよう構成されている。この例示的な実施形態では、隔壁１０４に含まれる水平支持部材１３６及び垂直支持部材１３８は、全体として格子状に配置されているが、他の実施形態では、ウェブ本体１２２における支持部材は、隔壁１０４を構造的に支持する任意の配置及び形状のものを用いることができる。また、他の実施形態では、水平支持部材１３６のみが前方側１２４又は後方側１２６に配置されている構成でもよく、他の実施形態では、垂直支持部材１３８のみが前方側１２４又は後方側１２６に配置されている構成でもよい。
【００１６】
ピボット継手１０８は、ウェブ本体１２２の前方側１２４に固定されており、水平安定板１１０と枢動可能に係合する。これにより、水平安定板１１０は、航空機の航行において、胴体部１００の後方セクション１０２及び前方セクション１１２に対して枢動可能である。
【００１７】
水平安定板１１０は、ピボット継手１０８を枢動可能に連結するピボットピン１４２を含む。この連結によれば、水平安定板１１０と後方セクション１０２は相対的に枢動することができる。隔壁１０４には水平安定板１１０から荷重が加えられるので、隔壁は、この荷重を吸収し、他の胴体構造部に伝達する必要がある。
【００１８】
前方セクション１１２は、水平安定板１１０を嵌合させて、水平安定板１１０を前方セクション１１２に対して相対的に移動可能な態様で保持するよう構成されている。また、前方セクション１１２は、後方セクション１０２の周縁１２０が挿入されるように構成された周縁１４４を有する。
【００１９】
加えて、後方頂部ストリンガ端部フィッティング（aft crown stringer end fitting）１４６及び後方キールストリンガ端部フィッティング（aft keel stringer end fitting）１４８が設けられており、後方セクション１０２を隔壁１０４に結合する。同様に、前方キールストリンガ端部フィッティング（forward keel stringer end fitting）１５０及び前方頂部ストリンガ端部フィッティング（forward crown stringer end fitting）（図示せず）が設けられており、前方セクション１１２を隔壁１０４に結合する。
【００２０】
図３は、前方セクション３０８に配置されたウェブ本体３０２を含む隔壁３００の一部を前方セクション３０８の中から見た様子を示しており、ウェブ本体３０２の前方側３１０が見えている。図４は、後方セクション３０４に配置されたウェブ本体３０２を含む隔壁３００の一部を示す図であり、ウェブ本体３０２の後方側３０６が見えている。図５は、隔壁３００のウェブ本体３０２を除いた状態で、後方セクション３０４及び前方セクション３０８の一部を示す透視図である。図３〜図５は、集合的に隔壁連結アセンブリ３１２を示す。なお、図３〜図５は、隔壁３００のキール部分、つまり下側部分を示しているが、隔壁連結アセンブリ３１２は、隔壁３００の頂部、つまり上側部分においても図示した構成と同様に設けられている。一実施形態では、隔壁３００は、図１〜図２の隔壁１０４であり、後方セクション３０４は、図１〜図２の後方セクション１０２であり、前方セクション３０８は、図１〜図２の前方セクション１１２である。
【００２１】
図５に示すように、隔壁連結アセンブリ３１２は、後方セクション３０４及び前方セクション３０８を連結、固定し、加えて、後方セクション３０４及び前方セクション３０８を隔壁３００に連結、固定するよう構成されている。隔壁連結アセンブリ３１２は、ストラップ片３１４、ストリンガ端部フィッティング３１６、コード又はコード片３１８、Ｔ字型コード片３２０（図３及び図５）を含む。隔壁連結アセンブリ３１２は、全体として隔壁周縁（bulkhead periphery）３２２に固定されている。
【００２２】
ストラップ片３１４は、後方セクション３０４に固定された隔壁３００後方側３２４から、前方セクション３０８に固定された隔壁３００前方側３２６に延びている。具体的には、各ストラップ片３１４は、概ね弧状（arcuate）であって、後方セクション３０４及び前方セクション３０８の双方を嵌め合うように係合させる。各ストラップ片３１４は、隔壁３００の下側も通っている。一実施例では、ストラップ片３１４は、後方セクション３０４及び前方セクション３０８にファスナで固定されている。他の実施形態では、リベット、ボルト、ねじ、接着剤、溶接、その他のファスナ等を用いることができる。例示的な実施形態では、ストラップ片３１４として複数の部材が示されているが、製造要件によっては、ストラップ片は単一部材であってもよい。一実施例では、接合ストラップ（splice strap）を設けて隔壁３００又は対応するコード片３１８を固定することで、隔壁連結アセンブリ３１２の強度をさらに高めている。一実施形態では、ストラップ片３１４は、複合繊維強化プラスチック（ＣＦＲＰ）で構成されている。ＣＦＲＰ製であることにより、連結アセンブリ３１２の腐食を最小限に抑えることができる上に、バスタブ型フィッティングなどの金属部品について行う切削、分解、バリ取りなどの製造ステップが不要なので、製造速度を高めることができる。
【００２３】
ストリンガ端部フィッティング３１６は、隔壁３００の後方側３２４及び前方側３２６の双方に複数設けられており、隔壁３００の隔壁周縁３２２に沿って互いに間隔を空けて配置されている。各ストリンガ端部フィッティング３１６は、ストラップ側端部３２８と胴体側端部３３０を両端に有する。各ストリンガ端部フィッティング３１６は、ストラップ側端部３２８においてストラップ片３１４に固定されており、各ストリンガ端部フィッティング３１６は、胴体側端部３３０において、後方セクション３０４又は前方セクション３０８のいずれかのストリンガに固定されている。したがって、ストリンガ端部フィッティング３１６は、隔壁３００にモーメントを与える。ストリンガ端部フィッティング３１６は引張力を加えないので、隔壁３００の両側のストリンガ端部フィッティング３１６を互いに位置合わせする必要はない。代わりに、隔壁の両側のストリンガ端部フィッティング３１６を互いにずらして配置することが可能である。加えて、隔壁連結アセンブリ３１２による荷重伝達の効率が改善されているので、必要なストリンガ端部フィッティング３１６の数が少なくなっている。よって、コストを削減し、設置時間を短縮し、製造時間を最短にすることができる。
【００２４】
一実施例では、ストリンガ端部フィッティング３１６は、後方セクション３０４、前方セクション３０８、及び、ストラップ片３１４にファスナで固定されている。他の実施形態では、リベット、ボルト、ねじ、接着剤、溶接、その他のファスナ等を用いることができる。各ストリンガ端部フィッティング３１６は、後方セクション３０４又は前方セクション３０８のストリンガに係合するような形状を有している。一実施例では、後方セクション３０４及び前方セクション３０８のそれぞれは、概ねＬ字型であって、ストラップ片３１４に固定された各ストリンガ端部フィッティング３１６の表面が、ストラップ片３１４の表面に対して平坦になるように、あるいは、連続的に係合するように構成されている。一方、ストリンガ端部フィッティング３１６の表面は、後方セクション３０４又は前方セクション３０８のストリンガにそれぞれ固定されており、よって、後方ストリンガ端部フィッティング３１６又は前方ストリンガ端部フィッティング３１６と言うことができる。加えて、ストリンガ端部フィッティング３１６が概ねＬ字型を有する実施形態では、ストリンガ端部フィッティング３１６における固定部分から延出する部分は、構造的な支持を付加するよう機能する。代替の実施形態においては、他の大きさや形状のストリンガ端部フィッティング３１６を用いることができ、これには、Ｔ字型ストリンガ端部フィッティング３１６も含まれる。一実施形態では、ストラップ片３１４は、複合繊維強化プラスチック（ＣＦＲＰ）で構成される。ＣＦＲＰ製であることにより、連結アセンブリ３１２の腐食を最小限に抑えることができる上に、バスタブ型フィッティングなどの金属部品について行う切削、分解、バリ取りなどの製造ステップが不要なので、製造速度を速くすることができる。
【００２５】
例示的な一実施形態におけるコード３１８は、概ねＬ字型であって、各コードは、水平部分３３２と、この水平部分３３２から所定の角度で延出する垂直部分３３４を有する。この角度は、鈍角、鋭角又は直角のいずれであってもよい。あるいは、コード３１８は、概ねＴ字型であってもよい。なお、図では、複数のコード３１８が示されているが、他の実施形態では、コード３１８は、単一部材であってもよい。水平部分３３２は、前方セクション３０８におけるストラップ片３１４に係合し、固定されている。これに対し、垂直部分３３４は、隔壁３００のウェブ本体３０２に係合し、固定されている。一実施例では、コード３１８は、その他の部材にファスナで固定されている。他の実施形態では、リベット、ボルト、ねじ、接着剤、溶接等を用いることができる。一実施例におけるコード３１８は、隔壁３００の片側において、ストラップ片３１４と隔壁３００にファスナで固定されており、隔壁３００の片側に配置されたコード３１８を介して荷重が伝達される。他の実施例では、各コード３１８は、少なくとも１つのマウスホール開口（mousehole opening）３３６を有しており、ストラップ片３１４の目視検査が容易になる。具体的には、各マウスホール開口３３６は、概ね弧状であって、部分的には垂直部分３３４から延びており、部分的には水平部分３３２に到達し、そこで終わっている。加えて、マウスホール開口３３６があるとコード３１８がより撓みやすくなるので、部品の製造が容易になり、また、取付け作業が促進される。一実施形態では、コード３１８は、複合繊維強化プラスチック（ＣＦＲＰ）で構成される。ＣＦＲＰ製であることにより、連結アセンブリ３１２の腐食を最小限に抑えることができる上に、バスタブ型フィッティングなどの金属部品について行う切削、分解、バリ取りなどの製造ステップが不要なので、製造速度を速くすることができる。
【００２６】
よって、隔壁連結アセンブリ３１２によれば、隔壁３００から加わる荷重がコード３１８に伝達されてストラップ片３１４を伝わるようにでき、効率的な荷重伝達を実現することができる。コード３１８は、隔壁３００の片側（本実施例では、前方側３２６）だけに配置すればよいので、必要なコードの数を少なくすることができる。加えて、効率的な荷重伝達が可能であることにより、隔壁連結アセンブリ３１２の部材であるストラップ片３１４、ストリンガ端部フィッティング３１６、コード片３１８、及び、Ｔ字型コード片３２０等を、腐食しやすいアルミニウムなどの金属材料に代えて、腐食を最小限に抑えるチタンやＣＦＲＰなどの複合材を用いて構成することが可能になる。この結果、コストを削減し、製造プロセスを簡易化し、腐食を最小限に抑え、部材の可撓性を高め、設置を容易にすることができる。加えて、接合部品を少なくすることができるので、これによっても、製造プロセスを簡易化することができる。また、設計が簡素であるので、隔壁３００及びその他の胴体部材を交換及び修理する際に、いくつも重ねて配置されている他の部材を分解しなければ、目的とする部材に到達できないという状況が無くなるので、修理が容易になる。
【００２７】
図６は、後方セクション６０２、前方セクション６０４、及び、隔壁６０６を結合する隔壁連結アセンブリ６００の一部を示す側断面図である。一実施例では、隔壁連結アセンブリ６００は、図３〜図５に示す隔壁連結アセンブリ３１２である。隔壁連結アセンブリ６００は、ストラップ片６１４、第１ストリンガ端部フィッティング６１６Ａ、第２ストリンガ端部フィッティング６１６Ｂ、コード片６１８、及び、Ｔ字型コード片（図６には、図示せず）を含む。図７〜図１０は、隔壁連結アセンブリ６００の個々の部材をそれぞれ示す図であり、ストラップ片６１４（図７）、第１ストリンガ端部フィッティング６１６Ａ（図８）、コード片６１８（図９）、及び、Ｔ字型コード片１０００（図１０）が示されている。
【００２８】
ストラップ片６１４は、後方セクション６０２及び前方セクション６０４と係合するよう構成されている。具体的には、ストラップ片６１４は下面６２０を有しており、この下面は、後方セクション６０２の内側又は内表面６２４、及び、前方セクション６０４の内側又は内表面６２６に沿って、つまり外皮に沿って、第１端部６２２から第２端部６２８まで延びている。各ストラップ片６１４の第１端部６２２と、隣接するストリンガとの間には空隙が設けられており、この空隙は、設置の際には公差を許容するとともに、航空機この領域における液体の排液路を構成する。同様に、第２端部６２８と隣接するストリンガとの間にも空隙が設けられており、この空隙は、設置の際には公差を許容するとともに、航空機この領域における液体の排液路を構成する。
【００２９】
ストラップ片６１４は、上面６３０を有し、一実施例では、上面は、第１端部６２２及び第２端部６２８のそれぞれに向かって先細りになるテーパーが付けられている（図６）。あるいは、他の例示的な実施形態における上面６３０は、第１端部６２２からテーパー位置６３２までは下面６２０と平行に延出し、そこからは下面に向かって先細りする構成であって、一定厚部分６３４とテーパー付き部分６３６（図７）とが形成されている。図７に示す例示的な実施形態の一例では、一定厚部分６３４は、厚さ方向に約３２パイル分積層されており、テーパー付き部分６３６は、テーパー位置６３２では３２パイル分の厚みが、第２端部６２８では１６パイル分の厚みに減っている。一定厚部分６３４とテーパー付き部分６３６があることにより、シムを追加する必要を大幅に低減させ、又は最小化させることができる。これにより、シムの無いストラップ片６１４を提供することができる。図７に示すように、下面６２０は、（紙面上の図６に向けて）弧状に延びている。したがって、下面６２０は、後方セクション６０２における弧状の内表面６２４、つまり外皮に嵌まり込むよう係合し、また、前方セクション６０４の内表面６２６、つまり外皮に嵌まり込むよう係合する。
【００３０】
第１ストリンガ端部フィッティング６１６Ａ（図８）は、第１端部６３８において後方セクション６０２に係合して固定され、第２端部６４０においてストラップ片６１４を嵌め込ませる。同様に、第２ストリンガ端部フィッティング６１６Ｂは、第１端部６４２において前方セクション６０４に係合して固定され、第２端部６４４においてストラップ片６１４を嵌め込ませる。このように、軸方向の力も含む隔壁連結アセンブリ６００の力に対しては、荷重を前後に伝達するために十分な荷重伝達経路が、第１ストリンガ端部フィッティング６１６Ａとストラップ片６１４との間、及び、第２ストリンガ端部フィッティング６１６Ｂとストラップ片６１４との間に形成される。
【００３１】
例示的な実施形態におけるコード６１８は、概ねＬ字形状であって、ストラップ片６１４の上面６３０に沿って係合して延びる下面６４８を構成する水平部分６４６を有する。あるいは、コード６１８は、概ねＴ字型であってもよい。水平部分６４６は、垂直部分６４９に繋がっており、この垂直部分は、隔壁６０６のウェブ本体６５４の前面６５２に係合して延びる側面６５０を有する。一実施例におけるコード６１８は、隔壁６０６の片側において、ストラップ片６１４と隔壁６０６にファスナで固定されており、これにより、隔壁６０６の片側に配置されたコード６１８を介して荷重が伝達される。水平部分６４６と垂直部分６４９には、マウスホール開口６５５が形成されている。マウスホール開口６５５を設けることにより、ストラップ片６１４の目視検査が容易になる。加えて、マウスホール開口６５５があるとコード６１８がより撓みやすくなるので、部品の製造が容易になり、また、取付け作業が促進される。
【００３２】
図示のとおり、本実施形態のコード６１８は、直角ではなく、鈍角を形成する。具体的には、水平部分６４６の下面６４８がストラップ片６１４の上面６３０に係合して延びており、また、垂直部分６４９の側面６５０がウェブ本体６５４の前面６５２に係合して延びているので、隔壁６０６から伝達される荷重は、コード６１８によって、コード６１８とストラップ片６１４との間のせん断力に変換される。連結アセンブリ６００に作用する荷重が効率的に伝達されるので、連結アセンブリ６００をＣＦＲＰで構成することが可能になり、製造効率及び製造コストを改善することができる。加えて、これにより、必要な接合ジョイントの数を少なくし、部品の数を少なくすることができる。また、連結アセンブリ６００により、取付け及び交換も容易になる。加えて、支持を補強することが望ましい場合には、接合ストラップを簡単に追加することができる。
【００３３】
図１０は、例示的な隔壁連結アセンブリのＴ字型コード片１０００を示しており、これは、一実施形態では、図３〜図５に示す隔壁連結アセンブリ３１２のＴ字型コード片３２０に相当するＴ字型コード片である。Ｔ字型コード片１０００は、本体部１００２と、本体部１００２から延出するフランジ１００４と、上縁１００６と、その反対側にある下縁１００８と、後方縁１０１０と、前方縁１０１２と、フランジ縁１０１４と、を含む。一実施例では、フランジ１００４は、本体部から直角に延出する。他の実施形態では、フランジ１００４は、本体部に対して、鋭角及び鈍角を形成するように延出する。胴体部において、Ｔ字型コード片１０００は、後方セクションから隔壁のウェブ本体の下を通って前方セクションまで延びている。Ｔ字型コード片１０００は、隔壁のキール部におけるストラップ片及びコード片と、隔壁の頂部におけるストラップ片及びコード片との間で、隔壁のウェブ本体、後方セクション、及び、前方セクションに係合し、固定される。このように、Ｔ字型コードは、隔壁連結部におけるキール部から頂部に変化する部分を構成する。具体的には、キール側では、下縁１００８が、キールコードに当接するなどして係合し、前方セクションのキールストラップ片に当接するなどして係合し、また、後方セクションのキールストラップ片に当接するなどして係合する。これに対し、頂部側では、上縁１００６が頂部コードに当接または係合し、前方セクションの頂部ストラップ片に当接または係合し、また、後方セクションの頂部ストラップ片に当接または係合する。一実施例において、Ｔ字型コード１０００は、隔壁のウェブ本体、後方セクション、及び、前方セクションにファスナで固定されている。他の実施形態では、リベット、ボルト、ねじ、接着剤、溶接、その他のファスナ等を用いることができる。一実施形態では、Ｔ字型コード１０００は、チタン製である。他の実施形態では、Ｔ字型コード１０００は、ＣＦＲＰを使ってモノリシックプロセスで構成される。さらに他の実施形態では、Ｔ字型コードは、ＣＦＲＰ製コードと接合ストラップを組み合わせることで構成される。ＣＦＲＰ製であることにより、連結アセンブリの腐食を最小限に抑えることができる上に、バスタブ型フィッティングなどの金属部品について行う切削、分解、バリ取りなどの製造ステップが不要なので、製造速度を速くすることができる。
【００３４】
本体部１００２は、後方縁１０１０からフランジ１００４に延びる後方部分１０１６を含む。また、後方部分１０１６は、後方セクションの内部で延出し、その内壁に係合する部分でもある。後方縁１０１０は、後方上縁部１０１８から後方下縁部１０２０まで、弧状に拡がっている。具体的には、後方縁１０１０は、後方上縁部１０１８から内側に向かって細くなっており、また、後方下縁部１０２０からも内側に向かって細くなっている。
【００３５】
本体部１００２は、さらに、前方縁１０１２からフランジ１００４に延びる前方部分１０２２を含む。また、前方部分１０２２は、前方セクションの内部で延出し、その内壁に係合する部分でもある。前方縁１０１２は、前方上縁部１０２３から発し、一旦内側に向かってから外側に戻る形状の中間弧状部（interior arcuate section）１０２４を経て、前方下縁部１０２５に繋がっている。よって、前方部分１０２２は、具体的には、外側幅１０２６と内側幅１０２８を有しており、この内側幅１０２８は、外側幅１０２６よりも狭い。弧状部１０２４があるとＴ字型コード１０００がより撓みやすくなるので、部品の製造が容易になり、また、取付け作業が促進される。
【００３６】
フランジ１００４は、下方に行くにつれ先細りし、頂部ストラップ片と係合するように当接するフランジ上面部１０３０を含む。例示的な本実施形態及び他の実施形態では、フランジ上面部１０３０は、頂部のストラップ片と係合するように当接するものとして示されているが、他の実施形態では、コードは、Ｔ字型コード片１０００を重ね継ぎの接合部を形成してもよく、よって、Ｔ字型コード片１０００に当接させるのではなく、重なるように配置してもよい。フランジ上面部１０３０は外側に延出して第１フランジ弧状部１０３２に至り、その後、内側に凹んで中間弧状部１０３４に至る。フランジ縁１０１４は、フランジ中間弧状部１０３６から外側に張り出し第２フランジ弧状部１０３８に至る。フランジ中間弧状部１０３６があるとＴ字型コードがより撓みやすくなるので、部品の製造が容易になり、また、取付け作業が促進される。次いで、第２フランジ弧状部１０３８は、先細りになってフランジ下面部１０４０に繋がっている。このフランジ下面部は、下方に向かうにつれ先細りしてキール部のストラップ片と係合するように当接している。
【００３７】
よって、例示的な一実施形態では、Ｔ字型コード片１０００は、キールストラップ片とキールコードに当接し、ここから頂部ストラップ片と頂部コードまで延びて、これらに当接する構成である。あるいは、Ｔ字型コード片１０００とキールストラップ片との間、また頂部ストラップ片との間に、１つ又は複数の重ね継ぎ接合部を設けて、Ｔ字型コード片１０００がキールストラップ片及び／又は頂部ストラップ片の内の所望の一方又は両方に重なるように配置する構成も可能である。したがって、Ｔ字型コードは、隔壁連結部に作用する力を効率的に分散させることができる。加えて、Ｔ字型コードは、隔壁のウェブ本体に固定されたピボット継手の取付けを容易にするとともに、これらピボット継手を収容できるように形成されている。
【００３８】
さらに、本開示は、以下の付記に基づく実施形態も包含する。
【００３９】
付記１．胴体部（１００）の後方セクション（３１４、６１４）（１０２、３０４、６０２、１０１６）及び前記胴体部（１００）の前方セクション（３１４、６１４）（１１２、３０８、６０４、１０２２）に固定されるとともに、前記胴体部（１００）の隔壁（１０４、３００、６０６）を超えて延びるよう構成されているストラップ片（３１４、６１４）と、
前記ストラップ片（３１４、６１４）に係合し、固定されたコード（３１８、６１８）と、を備え、前記コード（３１８、６１８）は、前記隔壁（１０４、３００、６０６）に沿って延びており、前記隔壁（１０４、３００、６０６）から受ける荷重を前記コード（３１８、６１８）と前記ストラップ片（３１４、６１４）の間のせん断力として伝達するよう構成されている、隔壁（１０４、３００、６０６）連結アセンブリ（３１２、６００）。
【００４０】
付記２．前記ストラップ片（３１４、６１４）に固定されているとともに、前記後方セクション（３１４、６１４）（１０２、３０４、６０２、１０１６）に対して延出し、固定されるよう構成された後方ストリンガ端部（３２８）フィッティングと、
前記ストラップ片（３１４、６１４）に固定されているとともに、前記前方セクション（３１４、６１４）（１１２、３０８、６０４、１０２２）に対して延出し、固定されるよう構成された前方ストリンガ端部（３２８）フィッティングと、をさらに備える、付記１に記載の隔壁（１０４、３００、６０６）連結アセンブリ（３１２、６００）。
【００４１】
付記３．前記ストラップ片（３１４、６１４）、前記コード（３１８、６１８）、前記後方ストリンガ端部（３２８）フィッティング、及び、前記前方ストリンガ端部（３２８）フィッティングは、複合繊維強化プラスチックで構成されている、付記２に記載の隔壁（１０４、３００、６０６）連結アセンブリ（３１２、６００）。
【００４２】
付記４．前記ストラップ片（３１４、６１４）は、一定厚部分（３１４、６１４）（６３４）及びテーパー付き部分（６３６）（３１４、６１４）を含む、付記１〜３のいずれかに記載の隔壁（１０４、３００、６０６）連結アセンブリ（３１２、６００）。
【００４３】
付記５．前記コード（３１８、６１８）は、前記コード（３１８、６１８）の垂直部分（３３４、６４９）（３１４、６１４）において弧状に拡がるマウスホール開口（３３６）を有する、付記１〜４のいずれかに記載の隔壁（１０４、３００、６０６）連結アセンブリ（３１２、６００）。
【００４４】
付記６．前記コード（３１８、６１８）は、前記ストラップ片（３１４、６１４）に係合して前記ストラップ片に沿って延びる水平部分（３１４、６１４）（３３２、６４６）と、前記隔壁（１０４、３００、６０６）に係合して前記隔壁に沿って延びる垂直部分（３３４、６４９）（３１４、６１４）と、を含む、付記１〜５のいずれかに記載の隔壁（１０４、３００、６０６）連結アセンブリ（３１２、６００）。
【００４５】
付記７．前記コード（３１８、６１８）の前記水平部分（３１４、６１４）（３３２、６４６）と前記コード（３１８、６１８）の前記垂直部分（３３４、６４９）（３１４、６１４）との間には鈍角が形成されている、付記６に記載の隔壁（１０４、３００、６０６）連結アセンブリ（３１２、６００）。
【００４６】
付記８．前記ストラップ片（３１４、６１４）に対して当接するＴ字型コード（３１８、６１８）片（３１４、６１４）をさらに備える、付記１〜７のいずれかに記載の隔壁（１０４、３００、６０６）連結アセンブリ（３１２、６００）。
【００４７】
付記９．前記ストラップ片（３１４、６１４）に重ねて配置されたＴ字型コード（３１８、６１８）片（３１４、６１４）をさらに備える、付記１〜７のいずれかに記載の隔壁（１０４、３００、６０６）連結アセンブリ（３１２、６００）。
【００４８】
付記１０．前記Ｔ字型コード（３１８、６１８）片（３１４、６１４）は、本体部（１００２）と、前記本体部（１００２）から延出するフランジ（１００４）と、を含む、付記８又は９に記載の隔壁（１０４、３００、６０６）連結アセンブリ（３１２、６００）。
【００４９】
付記１１．前記Ｔ字型コード（３１８、６１８）片（３１４、６１４）の前記フランジ（１００４）は、フランジ（１００４）中間弧状部（３１４、６１４）（１０２４）（１０２４）を含む、付記１０に記載の隔壁（１０４、３００、６０６）連結アセンブリ（３１２、６００）。
【００５０】
付記１２．後方セクション（３１４、６１４）（１０２、３０４、６０２、１０１６）と、
前記後方セクション（３１４、６１４）（１０２、３０４、６０２、１０１６）を、隔壁（１０４、３００、６０６）連結部において嵌合させて保持する前方セクション（３１４、６１４）（１１２、３０８、６０４、１０２２）と、
前記隔壁（１０４、３００、６０６）連結部に隣接する、前記後方セクション（３１４、６１４）（１０２、３０４、６０２、１０１６）の内部、及び、前記前方セクション（３１４、６１４）（１１２、３０８、６０４、１０２２）の内部の周縁全体に拡がる隔壁（１０４、３００、６０６）と、
前記後方セクション（３１４、６１４）（１０２、３０４、６０２、１０１６）を前記前方セクション（３１４、６１４）（１１２、３０８、６０４、１０２２）に固定する隔壁（１０４、３００、６０６）連結アセンブリ（３１２、６００）と、を備える胴体部（１００）であって、前記隔壁連結アセンブリが、
前記後方セクション（３１４、６１４）（１０２、３０４、６０２、１０１６）に固定されているとともに、前記前方セクション（３１４、６１４）（１１２、３０８、６０４、１０２２）に対して延出し、固定されたストラップ片（３１４、６１４）であって、前記隔壁（１０４、３００、６０６）と前記隔壁（１０４、３００、６０６）連結部との間に延びるストラップ片（３１４、６１４）と、
前記ストラップ片（３１４、６１４）に係合して延びる水平部分（３１４、６１４）（３３２、６４６）と、前記隔壁（１０４、３００、６０６）に係合して延びる垂直部分（３３４、６４９）（３１４、６１４）と、を有し、前記隔壁（１０４、３００、６０６）とストラップ片（３１４、６１４）との間にせん断力を与えるコード（３１８、６１８）と、を含むものである、胴体部。
【００５１】
付記１３．前記隔壁（１０４、３００、６０６）連結アセンブリ（３１２、６００）が、さらに、
前記ストラップ片（３１４、６１４）に固定されているとともに、前記後方セクション（３１４、６１４）（１０２、３０４、６０２、１０１６）に対して延出し、固定された後方ストリンガ端部（３２８）フィッティングと、
前記ストラップ片（３１４、６１４）に固定されているとともに、前記前方セクション（３１４、６１４）（１１２、３０８、６０４、１０２２）に固定されるように延出する前方ストリンガ端部（３２８）フィッティングと、をさらに含む、付記１２に記載の胴体部（１００）。
【００５２】
付記１４．前記ストラップ片（３１４、６１４）、前記コード（３１８、６１８）、前記後方ストリンガ端部（３２８）フィッティング、及び、前方ストリンガ端部（３２８）フィッティングは、複合繊維強化プラスチックで構成されている、付記１３に記載の胴体部（１００）。
【００５３】
付記１５．前記隔壁（１０４、３００、６０６）連結アセンブリ（３１２、６００）が、
前記ストラップ片（３１４、６１４）に対して当接するＴ字型コード（３１８、６１８）片（３１４、６１４）をさらに含む、付記１２〜１４のいずれかに記載の胴体部（１００）。
【００５４】
付記１６．前記Ｔ字型コード（３１８、６１８）に隣接する前記隔壁（１０４、３００、６０６）に固定された水平安定板（１１０）を枢動可能に保持するピボット継手をさらに備える、付記１５に記載の胴体部（１００）。
【００５５】
付記１７．前記コード（３１８、６１８）は、マウスホール開口（３３６）を含む、付記１２〜１６のいずれかに記載の胴体部（１００）。
【００５６】
付記１８．前記コード（３１８、６１８）は、前記隔壁（１０４、３００、６０６）の一方の側において、前記ストラップ片（３１４、６１４）及び隔壁（１０４、３００、６０６）にファスナで固定されている、付記１２〜１７のいずれかに記載の胴体部（１００）。
【００５７】
付記１９．胴体部（１００）の後方セクション（３１４、６１４）（１０２、３０４、６０２、１０１６）及び前記胴体部（１００）の前方セクション（３１４、６１４）（１１２、３０８、６０４、１０２２）に固定されるとともに、前記胴体部（１００）の隔壁（１０４、３００、６０６）を超えて延びるよう構成されているストラップ片（３１４、６１４）と、
前記ストラップ片（３１４、６１４）に係合し、固定されたコード（３１８、６１８）であって、前記隔壁（１０４、３００、６０６）に沿って延びており、前記隔壁（１０４、３００、６０６）から受ける荷重を前記コード（３１８、６１８）と前記ストラップ片（３１４、６１４）との間のせん断力として伝達するよう構成されているコード（３１８、６１８）と、
前記ストラップ片（３１４、６１４）に固定されているとともに、前記後方セクション（３１４、６１４）（１０２、３０４、６０２、１０１６）に対して延出し、固定された後方ストリンガ端部（３２８）フィッティングと、
前記ストラップ片（３１４、６１４）に固定されているとともに、前記前方セクション（３１４、６１４）（１１２、３０８、６０４、１０２２）に対して延出し、固定された前方ストリンガ端部（３２８）フィッティングと、
前記ストラップ片（３１４、６１４）に対して当接するＴ字型コード（３１８、６１８）片（３１４、６１４）と、をさらに備える、隔壁（１０４、３００、６０６）連結アセンブリ（３１２、６００）。
【００５８】
付記２０．前記ストラップ片（３１４、６１４）は、前記隔壁（１０４、３００、６０６）連結アセンブリ（３１２、６００）が有する複数のストラップ片（３１４）のうちの１つである、付記１９に記載の隔壁（１０４、３００、６０６）連結アセンブリ（３１２、６００）。
【００５９】
本開示の実施形態の説明において、頂部、底部、下側、中央、側方、水平、垂直、前側などの、様々な空間及び方角に関する用語を用いたが、これらの用語は図面に示した向きについて用いたに過ぎない。これらの向きは、逆向きにしたり、回転したり、あるいは他の態様で変更することが可能であり、そのような場合には、その場合には、上側部分が下側部分となったり、その逆になったりすることなどがありうる。
【００６０】
上述の記載には、様々な変形及び修正を加えることが可能であり、それらも本開示の範囲に包含される。本明細書に開示及び定義する実施形態は、上述の記載及び／又は図面に含まれている特徴や、それにより明らかな特徴を２つ以上用いたすべての代替的組み合わせに拡張される。これらの異なる組み合わせは、いずれも本開示の様々な代替的側面を構成するものである。本明細書に記載の実施形態は、本開示を実施するために知られている最良の態様を説明し、当業者による本開示の利用を可能にするためのものである。請求の範囲は、先行技術により可能な範囲において可能な代替的実施形態を包含するものであると解釈すべきである。
【００６１】
添付の請求の範囲において用いられる「含む（including）」及び「であって（in which）」等の用語は、それぞれ、「具備する（comprising）」及び「において（wherein）」等と意味を同じくする表現として用いられている。加えて、「第１」、「第２」、「第３」などの用語は、単なる区別のための標識として用いられており、これらにより言及される対象にたいして数的な要件を課すものではない。
【００６２】
本開示の様々な特徴は、以下の請求の範囲に記載される。
【図１】
2020097395.tif 000003
【図２】
2020097395.tif 000004
【図３】
2020097395.tif 000005
【図４】
2020097395.tif 000006
【図５】
2020097395.tif 000007
【図６】
2020097395.tif 000008
【図７】
2020097395.tif 000009
【図８】
2020097395.tif 000010
【図９】
2020097395.tif 000011
【図１０】
2020097395.tif 000012
【外国語明細書】
2020097395000001.pdf
2020097395000002.pdf
2020097395000003.pdf
2020097395000004.pdf